(57)【要約】【課題】  座と分離した背凭れの支持強度を大とし、後向きの大きな荷重に耐えうるようにする。【解決手段】  背凭れ３の下部両側面に、左右１対の背凭れ支持フレーム１１における起立杆１１ｂを取付け、この両起立杆１１ｂの上端を、左右１対の脚フレーム２における上下方向を向く前脚２ａの上端に連設された後方を向く肘掛け部６の後端に結合するとともに、左右の背凭れ支持フレーム１１の起立杆１１ｂの下端に連設された前向き杆１１ａの前端を、肘掛け部６の下方において左右の前脚２ａに連結した横フレーム５より後向きに延出する１対の座支持杆８の後端に結合する。【選択図】  図３
2006271622.tif 000002
【特許請求の範囲】
【請求項１】
背凭れの下部両側面に、左右１対の背凭れ支持フレームにおける起立杆を取付け、この両起立杆の上端を、左右１対の脚フレームにおける上下方向を向く前脚の上端に連設された後方を向く肘掛け部の後端に結合するとともに、前記左右の背凭れ支持フレームの起立杆の下端に連設された前向き杆の前端を、前記肘掛け部の下方において前記左右の前脚より後向きに延出する１対の座支持杆の後端に結合したことを特徴とする椅子。
【請求項２】
起立杆の上端と前向き杆の前端とに、突軸を前向きに突設し、この両突軸を、管材により形成した肘掛け部と座支持杆との後端の開口部内に嵌合して結合した請求項１記載の椅子。
【請求項３】
起立杆と、それが取付けられる背凭れの側面との対向面に、互いに嵌合し合う突部と凹溝とを設けてなる請求項１または２記載の椅子。
【請求項４】
左右の脚フレームの前脚同士を、横フレームにより互いに連結し、この横フレームに、左右１対の座支持杆の前端を固定してなる請求項１〜３のいずれかに記載の椅子。
【請求項５】
座支持杆と、背凭れ支持フレームの前向き杆とをほぼ水平とするとともに、それらを一直線上に整合させて互いに結合してなる請求項１〜４のいずれかに記載の椅子。
【発明の詳細な説明】
【技術分野】
【０００１】
本発明は、左右１対の脚フレームの上端を肘掛け部とし、両肘掛け部の後端と、その下方の脚フレームとにより、背凭れを支持してなる椅子に関する。
【背景技術】
【０００２】
従来、左右の脚フレームの後部に、背凭れの左右両側を、上下２本のボルトにより取付けた椅子は公知である（例えば特許文献１参照）。
【特許文献１】特開２００３−１３５２００号公報
【発明の開示】
【発明が解決しようとする課題】
【０００３】
上記特許文献に記載されている椅子は、背凭れを取付ける部分が、脚フレームの肘掛け部の後端から、下方に向かって若干延設されているのみであるため、背凭れ取付用の上下のボルトの間隔は狭くならざるを得ず、しかも、上部のボルトから上方では、背凭れを支持する部分がなく、背凭れの高さが高くなると強度が保てなくなるため、高い背凭れを使用することができないという問題がある。
【０００４】
高さの高い背凭れを使用する場合には、通常、背凭れを座と一体に形成して、背凭れの支持強度を大とすることが多い。しかし、このような椅子では、座と背凭れとが連続してしまうため、背凭れが座より分離する多様なデザインを採用しにくいという問題がある。
【０００５】
本発明は、上記問題点に鑑みてなされたもので、背凭れの支持強度を大として、後向きの大きな荷重に耐えうるようにすることにより、座と背凭れとが分離した構造のデザインとしたり、高さの高い背凭れを取付けたりしうるようにした椅子を提供することを目的としている。
【課題を解決するための手段】
【０００６】
本発明によると、上記課題は、次のようにして解決される。
(１)背凭れの下部両側面に、左右１対の背凭れ支持フレームにおける起立杆を取付け、この両起立杆の上端を、左右１対の脚フレームにおける上下方向を向く前脚の上端に連設された後方を向く肘掛け部の後端に結合するとともに、前記左右の背凭れ支持フレームの起立杆の下端に連設された前向き杆の前端を、前記肘掛け部の下方において前記左右の前脚より後向きに延出する１対の座支持杆の後端に結合する。
【０００７】
(２)上記(１)項において、起立杆の上端と前向き杆の前端とに、突軸を前向きに突設し、この両突軸を、管材により形成した肘掛け部と座支持杆との後端の開口部内に嵌合して結合する。
【０００８】
(３)上記(１)または(２)項において、起立杆と、それが取付けられる背凭れの側面との対向面に、互いに嵌合し合う突部と凹溝とを設ける。
【０００９】
(４)上記(１)〜(３)項のいずれかにおいて、左右の脚フレームの前脚同士を、横フレームにより互いに連結し、この横フレームに、左右１対の座支持杆の前端を固定する。
【００１０】
(５)上記(１)〜(４)項のいずれかにおいて、座支持杆と、背凭れ支持フレームの前向き杆とをほぼ水平とするとともに、それらを一直線上に整合させて互いに結合する。
【発明の効果】
【００１１】
請求項１記載の発明によれば、背凭れの両側面に、背凭れ支持フレームの起立杆を取付け、この起立杆の上端を、肘掛け部の後端に、かつ起立杆の下端の前向き杆の前端を、脚フレームの前脚より後向きに延出する座支持杆の後端に、それぞれ結合したことにより、背凭れは、上下に大きく離間した２個所において、実質的に左右の脚フレームにより支持されることとなる。
従って、背凭れは、それに加わる後向きの大きな荷重に対し、高い強度で支持され、座と分離した高さの高い背凭れを取付けることが可能となり、多種多様なデザインの椅子を提供することができる。
【００１２】
請求項２記載の発明によれば、起立杆と前向き杆の突軸を、肘掛け部と座支持杆の後端の開口部内に嵌合することにより、それらの互いの位置決めや取付けが容易となり、かつねじ等により簡単に結合することができる。
【００１３】
請求項３記載の発明によれば、起立杆を、容易に位置決めして背凭れの側面に取付けうるとともに、互いの取付部が前後及び上下方面にずれることがなくなる。
【００１４】
請求項４記載の発明によれば、左右の脚フレームを横フレームにより連結したことにより、横フレームに固定された座支持杆は、実質的に左右一体構造の脚フレームにより安定して支持されることとなり、両支持杆に背凭れ支持フレームを介して結合される背凭れの下部の支持強度も大となる。
また、左右の座支持杆が互いに内方に近づくので、それにより支持される座の中央部が、着座時に下方に撓みにくくなる。
【００１５】
請求項５記載の発明によれば、背凭れに後向きの荷重が加わった際に、上部の結合部を中心とする前向きの回転モーメントが、背凭れ支持フレームの前向き杆と座支持杆とに、前向きの押圧力となって直線的に作用し、突張り力が増大するため、背凭れの下端部が前方に撓んだりすることがなく、背凭れに加わる後向きの荷重に対し高い強度を有する。
【発明を実施するための最良の形態】
【００１６】
以下、本発明の実施形態を、図面に基づいて説明する。
図１は、本発明の椅子の正面図、図２は同じく側面図、図３は、同じく分解斜視図である。
【００１７】
椅子(１)は、左右１対の脚フレーム(２)(２)と、この脚フレーム(２)(２)にまたがって取付けられた背凭れ(３)及び座(４)とを備えている。
【００１８】
各脚フレーム(２)は、１本の鋼管を、側面視後向コ字状に折曲したもので、両脚フレーム(２)(２)同士は、それらの上下方向を向く前脚(2a)の中央部よりやや上方寄り、すなわち座(４)よりも下方の中間部と、ベース脚(2b)の後端部との対向面に端部が固着された横フレーム(５)(５)により、互いに連結されている。
【００１９】
左右の脚フレーム(２)の上端は、後向きに折曲されて、座(４)よりも上方に位置する肘掛け部(６)(６)となっており、各肘掛け部(６)の上面には、肘当てパッド(７)が、前脚(2a)の上端を覆うようにして取付けられている。
【００２０】
横フレーム(５)の両側端部の後面には、肘掛け部(６)よりも短寸の後方を向く左右１対の鋼管よりなる座支持杆(８)(８)の前端が、溶接により結合されている。
【００２１】
背凭れ(３)は、下部の左右寸法が下方に向かって漸次小とされた正面視ほぼ方形をなし、かつ中央部に撓み孔(3a)が設けられた側面視くの字状の合成樹脂等よりなる背枠(９)に、伸縮性又は可撓性を有する合成繊維よりなるメッシュ状の背当て材(10)を張設して形成されている。
【００２２】
背枠(９)の両側面の下部は、左右１対の背凭れ支持フレーム(11)(11)により、肘掛け部(６)と座支持杆(８)の後端に、次のようにして取付けられている。
【００２３】
背凭れ支持フレーム(11)は、座支持杆(８)の後端に向かってほぼ水平に延びる前向き杆(11a)と、その後端から、座枠(３)の下部の側面に沿うように、斜め前上方に向かって延出する起立杆(11b)とからなり、アルミニウム合金等により一体的に形成されている。
【００２４】
左右の起立杆(11a)の対向面は、図４に示すように、背枠(９)の両側面下部の傾斜面と当接しうるように、上方に向かって拡開する傾斜面とされている。
【００２５】
起立杆(11b)の内側面の上下方向の中間部には、図４及び図５に示すように、斜め上下方向を向く突条(12)が突設されている。この突条(12)を、背枠(９)の両側面下部に形成された上下方向を向く凹溝(13)に嵌合することにより、背凭れ支持フレーム(11)の取付時の位置決めをすることができる。
なお、上記とは反対に、突条(12)を背枠(９)側に、かつ凹溝(13)を起立杆(11b)側に設けることもある。
【００２６】
起立杆(11b)の内側面には、上下２個の左右方向を向く有底のめねじ孔(14)(14)が、突条(12)を貫通して穿設されている。
【００２７】
図３、図４、図６及び図８に示すように、背凭れ支持フレーム(11)の前向き杆(11a)の前端と、起立杆(11b)の上端前面には、それぞれ前方を向き、座支持杆(８)の後端開口部内と肘掛け部(６)の後端開口部内に嵌合可能な突軸(15a)(15b)が、一体的に設けられている。
【００２８】
下方の突軸(15a)の下面には、上下方向を向くめねじ孔(16)が穿設され、上方の突軸(15b)には、軸線方向を向く段付孔(17)が、後方より穿設されている。
【００２９】
背凭れ(３)を脚フレーム(２)に取付けるには、まず背枠(９)の両側面下部に、背凭れ支持フレーム(11)を次のようにして取付ける。
まず、背枠(９)の両側下部に形成されている凹溝(13)に、背凭れ支持フレーム(11)の起立杆(11b)の内側面の突条(12)を嵌合したのち、背枠(９)の両側面下部に穿設した上下２個の段孔(18)(18)に、内方よりボルト(19)を挿入し、その先端部を、背凭れ支持フレーム(11)に穿設されているめねじ孔(14)(14)に螺合し、締付ける（図４、図５参照）。
【００３０】
ついで、背凭れ支持フレーム(11)の上下の突軸(15a)(15b)を、それぞれ肘掛け部(６)と座支持杆(８)の後端開口部内に嵌合し、上部の突軸(15b)については、その段付孔(17)に後方より挿入した連結ボルト(20)を、肘掛け部(６)の内部に予め溶接等により固着してあるねじ筒(21)に螺合して締付けることにより固定する（図６参照）。
【００３１】
下部の突軸(15a)は、そのめねじ孔(16)に、座支持杆(８)の下方より挿入し皿ボルト(22)を螺合することにより、固定される（図８参照）。
【００３２】
この下部の突軸(15a)の固定後において、座支持杆(８)と背凭れ支持フレーム(11)の前向き杆(11a)とは、ほぼ水平かつ一直線上に整合して互いに連結される。
【００３３】
上部の突軸(15b)に設けられた段付孔(17)の後端の開口面は、キャップ(23)により閉塞されている。なお、背凭れ支持フレーム(11)の前向き杆(11a)は、座支持杆(８)に結合したのち、座支持部としても機能する。
【００３４】
上述の座(４)は、中央部に方形の撓み孔(4a)を有し、かつ両側が斜め外上方に傾斜する平面視ほぼ方形をなす合成樹脂製の座枠(24)の上面に、上記背凭れ(３)と同様、伸縮性又は可撓性の合成繊維等よりなるメッシュ状の張り材(25)を張設して形成され、着座者が着座したとき、張り材(25)の中央部が、臀部に沿って撓み孔(4a)より下方に沈み込むことにより、快適な着座感が得られるようになっている。
【００３５】
座(４)は、次のようにして、左右の座支持杆(８)(８)と、座支持杆の一部として機能する左右の背凭れ支持フレーム(11)の前向き杆(11a)とに取付けられる。
【００３６】
図３及び図７に示すように、各座支持杆(８)の前端部の上面には、正面視下向コ字状断面の間座(26)の下端が、溶接により固着されている。
【００３７】
また、前向き杆(11a)の前端部上面にも、上記間座(26)よりもやや低寸の間座(27)が、一体形成されている。この間座(27)の後半部の上面には、後記する受け板(30)の後部取付用のねじ(32)の頭部が凹入する逃げ溝(28)が形成されている。
【００３８】
座枠(24)の両側部下面に前後方向に向かって形成された上向き凹状断面をなすほぼ水平な受け溝(29)内には、前後方向を向く金属製の補強用受け板(30)が、その前後両端部の通孔(31)に下方より挿入した２本のねじ(32)を、受け溝(29)の奥面のめねじ孔（図示略）に螺合することにより固着されている。
【００３９】
(33)は、上記前後の間座(26)(27)を覆う前後方向を向く合成樹脂製のカバー部材で、両間座(26)(27)を収容しうる左右幅で前後両端が閉塞され、かつ下方が開口された正面視下向コ字状断面をなし、下端は、座支持杆(８)と前向き杆(11a)の上面とに当接しうるようになっている。
【００４０】
カバー部材(33)の上面における前後の間座(26)(27)と対向する前後両端部は、両間座(26)(27)の上面が上方に突出して、上記受け板(30)の下面と直接当接しうるとともに、受け板(30)固定用のねじ(32)の頭部が入り込むように開口している（図３、図７参照）。
【００４１】
座(４)を、座支持杆(８)と背凭れ支持フレーム(11)の前向き杆(11a)に取付けるには、まずカバー部材(33)を、前後の間座(26)(27)に上方より嵌合し、下端を座支持杆(８)と前向き杆(11a)の上面に当接させる。
【００４２】
ついで、前部の間座(26)については、図７に示すように、座支持杆(８)に穿設された上下に貫通する通孔(34)を介して、間座(26)内に挿入したボルト(35)を、間座(26)の上面の通孔(36)と受け板(30)の通孔(37)とに挿通し、この通孔(37)と対応する受け板(30)の上面に予め固着しておいた溶接ナット(38)に向かって螺合する。
【００４３】
これにより、前部の間座(26)は、カバー部材(33)を挟持するようにして受け板(30)の前端部下面、すなわち座枠(24)の前側端部の下面に固着されている。
なお、座枠(24)の受け溝(29)には、溶接ナット(38)が入り込む逃げ孔(39)が形成されている。
【００４４】
後部の間座(27)は、それと、前向き杆(11a)とを上下に貫通する通孔(40)に下方より挿入した長寸の皿ボルト(41)の上端部を、受け板(30)の後端部に挿通して、その上面に固着された溶接ナット(38)に螺合することにより、カバー部材(33)を挟持するようにして、受け板(30)の後端部下面、すなわち座枠(24)の後ろ側端部下面に固着されている（図３参照）。
【００４５】
後部の溶接ナット(38)も、受け溝(29)に形成した逃げ孔（図示略）に嵌挿され、座枠(24)の下面と干渉しないようになっている。
【００４６】
以上説明したように、上記実施形態の椅子(１)においては、背凭れ(３)の下部は、その両側面に固定した１対の背凭れ支持フレーム(11)(11)を介して、脚フレーム(２)の上端に一体形成された、座(４)よりも上方に位置する肘掛け部(６)の後端と、座(４)の下方において、左右の脚フレーム(２)における前脚(2a)の中間部同士を連結する横フレーム(５)に設けた後方を向く座支持杆(５)(５)の後端とに結合されているため、背凭れ(３)は、上下に大きく離間した２箇所で、実質的に左右の脚フレーム(２)により支持されることとなる。
【００４７】
従って、背凭れ(３)に作用する後向きの荷重に対しての支持強度が高くなり、座(４)と分離した高さの高い背凭れ(３)を取付けることが可能となる。
【００４８】
また、背凭れフレーム(11)の前向き杆(11a)は、前方に向かってほぼ水平をなし、その前端が、ほぼ水平をなす座支持杆(８)の後端に一直線上に整合して結合されているため、背凭れ(３)に後向きの荷重が加わった際において、起立杆(11b)の上端の結合部を中心とする前向きの回転モーメントが、前向き杆(11a)及び座支持杆(８)に、前向きの押圧力となって直線的に作用し、突張り力が増大することとなり、背凭れ(３)に加わる後向きの荷重に対する強度がより高まる。
【００４９】
座(４)における座枠(24)の両側部下面は、左右の座支持杆(８)と、左右の背凭れ支持フレーム(11)の前向き杆(11a)との上面に設けた間座(26)(27)により支持され、座枠(24)の下面と座支持杆(８)とは離間しているため、座枠(24)自体、特に前端部が着座時に下方に若干撓むようになるとともに、座枠(24)の上面に張設したメッシュ状の張り材(25)が着座時に下方に撓んだ際に、着座者の臀部が、座枠(24)の撓み孔(4a)を通して左右の座支持杆(８)に当たることはなく、快適な座り心地が得られる。
【００５０】
前後の間座(26)(27)と受け板(30)、及び座枠(24)と座支持杆(８)との間に形成される隙間は、カバー部材(33)より覆われているので、側方からの見栄えがよく、デザイン的にも優れた椅子となる。しかも、カバー部材(33)の上端部は、座枠(24)の下面の受け溝(29)内に収容され、外方から見えないので、カバー部材(33)自体の見栄えもよくなる。
【００５１】
カバー部材(33)は、座枠(24)の下面、すなわちその下面に固定した受け板(30)の下面と、座支持杆(８)の上面とにより挟持されて固定されているため、カバー部材(33)取付用のねじやねじ孔等が不要であり、かつ着脱も極めて容易となる。
【００５２】
座枠(24)の両側部の受け溝(29)に、金属製の受け板(30)を取付け、この下面を間座(26)(27)の上面に当接させて荷重を受支しているため、合成樹脂製の座枠(24)の下面が摩耗して凹むなどの恐れはない。また、受け板(30)は、ねじ(32)より座枠(24)に固定されているため、受け板(30)を、モールド成形等により座枠(24)に一体的に設ける必要はなく、それらの分別廃棄も容易となる。
【００５３】
上記実施形態においては、後部の間座(27)を、背凭れ支持フレーム(11)の前向き杆(11a)の上面に設けてあるが、前向き杆(11a)の前向き寸法を小とし、その代わりに、座支持杆(８)の前後寸法を大とすれば、座支持杆(８)の後端部に設けることができる。
【００５４】
左右の座支持杆(８)は、前部の横フレーム(５)とほぼ等高をなす位置において、左右の脚フレーム(２)の前脚(2a)の後面に直接取付けることもある。
【図面の簡単な説明】
【００５５】
【図１】本発明の椅子の一実施形態を示す正面図である。
【図２】同じく側面図である。
【図３】同じく分解斜視図である。
【図４】図２のIＶ−IＶ線拡大縦断正面図である。
【図５】図４のＶ−Ｖ線拡大横断平面図である。
【図６】同じく、図４のＶI−ＶI線縦断側面図である。
【図７】図２のVII−VII線拡大縦断正面図である。
【図８】同じくVIII−VIII線拡大縦断正面図である。
【符号の説明】
【００５６】
(１)椅子
(２)脚フレーム
(2a)前脚
(2b)ベース脚
(３)背凭れ
(3a)撓み孔
(４)座
(4a)撓み孔
(５)横フレーム
(６)肘掛け部
(７)肘当てパッド
(８)座支持杆
(９)背枠
(10)背当て材
(11)背凭れ支持フレーム
(11a)前向き杆
(11b)起立杆
(12)突条（突部）
(13)凹溝
(14)めねじ孔
(15a)(15b)突軸
(16)めねじ孔
(17)段付孔
(18)段孔
(19)ボルト
(20)連結ボルト
(21)めねじ筒
(22)皿ボルト
(23)キャップ
(24)座枠
(25)張り材
(26)(27)間座
(28)逃げ溝
(29)受け溝
(30)受け板
(31)通孔
(32)ねじ
(33)カバー部材
(34)通孔
(35)ボルト
(36)(37)通孔
(38)溶接ナット
(39)逃げ孔
(40)通孔
(41)皿ボルト
【図１】
2006271622.tif 000003
【図２】
2006271622.tif 000004
【図３】
2006271622.tif 000005
【図４】
2006271622.tif 000006
【図５】
2006271622.tif 000007
【図６】
2006271622.tif 000008
【図７】
2006271622.tif 000009
【図８】
2006271622.tif 000010